(57)【要約】【課題】電子写真装置から発生する放射ノイズの発生を安価な構成で低減する。【解決手段】電子写真装置において、ＤＣコントローラプリント配線板１０と複数のレーザプリント配線板２〜５との間を、それぞれケーブル６〜９を介して信号伝送する形態において、それぞれのケーブル長を異なるようにすることにより、ケーブル６〜９とレーザプリント配線板２〜５の系からそれぞれ発生する放射ノイズの重畳を防ぎ、放射ノイズのピーク強度が低減される。【選択図】　　　図１
2004029301.tif 000002
【特許請求の範囲】
【請求項１】
筐体の一方面に設置され、画像情報を含む電気信号を伝送するケーブルの接続部を複数有する第一プリント配線板と、筐体の他方面に設置され、前記第一プリント配線板の前記複数の接続部からそれぞれ前記ケーブルを介して電気信号が伝送される複数の第二プリント配線板と、を有し、前記ケーブルの長さがそれぞれ一致する場合に、前記ケーブルに余剰部分を設け、各ケーブルの長さをそれぞれ異なるようにすることを特徴とする電子写真装置。
【請求項２】
筐体の一方面に設置され、画像情報を含む電気信号を伝送するケーブルの接続部を複数有する第一プリント配線板と、筐体の他方面に前記第一プリント配線板と略平行な直線上に設置され、前記第一プリント配線板の前記複数の接続部からそれぞれ前記ケーブルを介して電気信号が伝送される複数の第二プリント配線板と、を有し、前記第一プリント配線板の前記複数の接続部の配置間隔は、前記複数の第二プリント配線板の配置間隔より狭く、前記ケーブルは前記第一プリント配線板の前記複数の接続部と前記複数のプリント配線板とをそれぞれ最短距離で配線することを特徴とする電子写真装置。
【請求項３】
筐体の一方面に設置され、画像情報を含む電気信号を伝送するケーブルの接続部を複数有する第一プリント配線板と、筐体の他方面に前記第一プリント配線板と略垂直な直線上に設置され、前記第一プリント配線板の前記複数の接続部からそれぞれ前記ケーブルを介して電気信号が伝送される複数の第二プリント配線板と、を有し、前記ケーブルは前記第一プリント配線板の前記複数の接続部と前記複数のプリント配線板とをそれぞれ最短距離で配線することを特徴とする電子写真装置。
【請求項４】
像担持体に露光手段によって静電潜像を形成する画像形成ユニットを複数有する電子写真装置において、前記複数の画像形成ユニットごとに前記第二プリント配線板を設け、前記第一プリント配線板は前記ケーブルを介して前記第二プリント配線板に画像信号を伝送することを特徴とする請求項１から３のいずれかに記載の電子写真装置。
【請求項５】
一の像担持体に対して複数の露光手段によって静電潜像を形成する画像形成ユニットを有する電子写真装置において、前記複数の露光手段ごとに前記第二プリント配線板を設け、前記第一プリント配線板は前記ケーブルを介して前記第二プリント配線板に画像信号を伝送することを特徴とする請求項１から３のいずれかに記載の電子写真装置。
【発明の詳細な説明】
【０００１】
【発明の属する技術分野】
本発明は、複数のプリント配線板を有し、それぞれのプリント配線板間の信号伝送をケーブルによって行うデジタル複写機やレーザビームプリンタ等の電子写真装置に関する。
【０００２】
【従来の技術】
電子機器から発生する放射ノイズの原因の一つに、電気信号を伝送するためのケーブル配線があげられる。
【０００３】
信号伝送側のドライバプリント配線板と信号受信側のレシーバプリント配線板とをケーブルで配線する場合、レシーバ配線板とケーブルとが高効率のアンテナとして作用し、放射ノイズが発生しやすくなる。
【０００４】
このような放射ノイズを低減するために、次に示すような放射ノイズ低減方法が提案されている。
【０００５】
特開平１０−２７５９９４号公報や特開平１１−２１４２２２号公報等では、ケーブルから発生する放射ノイズを抑制するためのフェライトコアの装着方法について提案している。また、特開平９−２２６２４号公報では、ケーブルとプリント配線板の間に抵抗を接続し、ケーブルに現れる定在波を抑制することで、この形態の放射ノイズを抑制することを提案している。
【０００６】
一方、カラーデジタル複写機・カラーレーザビームプリンタでは、ＤＣコントローラプリント配線板（第一プリント配線板）から各色ごとに送信される画像情報等の電気信号が、それぞれケーブル配線によって各色の画像形成ユニットに設けられたレーザプリント配線板（第二プリント配線板）に伝送される。
【０００７】
また、モノクロツインビームデジタル複写機・モノクロツインビームレーザビームプリンタでは、ＤＣコントローラプリント配線板から２本のビームごとに送信される画像情報等の電気信号が、それぞれケーブル配線によって画像形成ユニットに設けられた２個のレーザプリント配線板に伝送される。
【０００８】
これらの電子写真装置では、１つのＤＣコントローラプリント配線板から複数のレーザプリント配線板にケーブルを介して信号伝送が行われるため、レーザプリント配線板とケーブルとからなるアンテナが複数存在することになる。
【０００９】
このような構成においても、上記したノイズ低減方法を採用すれば、放射ノイズが低減される可能性が高い。
【００１０】
【発明が解決しようとする課題】
しかしながら、複数のアンテナに対策部品をそれぞれ装着すると、部品点数が多く組立てが複雑でコスト高になる。そのため、対策部品を用いることなく、放射ノイズを規格内に抑えるように、製品を設計することが望ましい。
【００１１】
また、上記した電子写真装置では、レーザプリント配線板とケーブルとからなるアンテナの形状がそれぞれ類似している。そのため、それぞれのアンテナの放射ノイズのピークが重ね合わされる可能性があり、全体として装置から発生する放射ノイズのピーク値が高くなることがある。
【００１２】
そこで、本発明の目的としては、ＤＣコントローラプリント配線板に複数のレーザプリント配線板をそれぞれケーブル配線する電子写真装置において、ノイズ対策用の部品を用いることなく放射ノイズを抑制することである。
【００１３】
【課題を解決するための手段】
本発明に係る電子写真装置の第１の構成は、筐体の一方面に設置され、画像情報を含む電気信号を伝送するケーブルの接続部を複数有する第一プリント配線板と、筐体の他方面に設置され、前記第一プリント配線板の前記複数の接続部からそれぞれ前記ケーブルを介して電気信号が伝送される複数の第二プリント配線板と、を有し、前記ケーブルの長さがそれぞれ一致する場合に、前記ケーブルに余剰部分を設け、各ケーブルの長さをそれぞれ異なるようにする。
【００１４】
本発明に係る電子写真装置の第２の構成は、筐体の一方面に設置され、画像情報を含む電気信号を伝送するケーブルの接続部を複数有する第一プリント配線板と、筐体の他方面に前記第一プリント配線板と略平行な直線上に設置され、前記第一プリント配線板の前記複数の接続部からそれぞれ前記ケーブルを介して電気信号が伝送される複数の第二プリント配線板と、を有し、前記第一プリント配線板の前記複数の接続部の配置間隔は、前記複数の第二プリント配線板の配置間隔より狭く、前記ケーブルは前記第一プリント配線板の前記複数の接続部と前記複数のプリント配線板とをそれぞれ最短距離で配線する。
【００１５】
本発明に係る電子写真装置の第３の構成は、筐体の一方面に設置され、画像情報を含む電気信号を伝送するケーブルの接続部を複数有する第一プリント配線板と、筐体の他方面に前記第一プリント配線板と略垂直な直線上に設置され、前記第一プリント配線板の前記複数の接続部からそれぞれ前記ケーブルを介して電気信号が伝送される複数の第二プリント配線板と、を有し、前記ケーブルは前記第一プリント配線板の前記複数の接続部と前記複数のプリント配線板とをそれぞれ最短距離で配線する。
【００１６】
本発明に係る電子写真装置の第４の構成は、上記第１から第３のいずれかの構成において、像担持体に露光手段によって静電潜像を形成する画像形成ユニットを複数有する電子写真装置において、前記複数の画像形成ユニットごとに前記第二プリント配線板を設け、前記第一プリント配線板は前記ケーブルを介して前記第二プリント配線板に画像信号を伝送する。
【００１７】
本発明に係る電子写真装置の第５の構成は、上記第１から第３のいずれかの構成において、一の像担持体に対して複数の露光手段によって静電潜像を形成する画像形成ユニットを有する電子写真装置において、前記複数の露光手段ごとに前記第二プリント配線板を設け、前記第一プリント配線板は前記ケーブルを介して前記第二プリント配線板に画像信号を伝送する。
【００１８】
【発明の実施の形態】
以下、本発明の実施の形態について説明する。
【００１９】
本実施の形態に係る電子写真装置では、ＤＣコントローラプリント配線板（第一プリント配線板）に複数のレーザプリント配線板（第二プリント配線板）をそれぞれケーブル配線し、画像情報等の電気信号を伝送している。
【００２０】
このような装置では、それぞれのレーザプリント配線板とケーブルとがアンテナとして作用する。そのため、レーザプリント配線板とケーブルの形状で決まる共振周波数がそれぞれ一致しないようにすることで、放射ノイズを低減することができる。
【００２１】
以下に、このような電子写真装置での放射ノイズ抑制メカニズムについて説明する。
【００２２】
図１は、一つのレーザプリント配線板／ケーブルの系から発生する放射ノイズＮ１と、レーザプリント配線板／ケーブルの系をアンテナと見た場合の系の入力インピーダンスＺ１を比較したグラフである。
【００２３】
図２は、一つのレーザプリント配線板／長さの異なるケーブルの系から発生する放射ノイズＮ２と、レーザプリント配線板／長さの異なるケーブルの系をアンテナとして見た場合の入力インピーダンスＺ２を比較したグラフである。
【００２４】
図１及び図２では、それぞれ放射ノイズＮ１・Ｎ２のピークが現れる周波数と、入力インピーダンスＺ１・Ｚ２の共振周波数が一致していることがわかる。つまり、放射ノイズのピーク周波数は、レーザプリント配線板とケーブルの形状によってほぼ決定されることがわかる。
【００２５】
そして、形状の一要因としてケーブル長を変化させることによって、入力インピーダンスの共振周波数が変化し、放射ノイズのピーク周波数も変化していることが確認される。つまり、ケーブル長によって放射ノイズのピーク周波数をコントロールできることが確認される。
【００２６】
例えば、複数のレーザプリント配線板／ケーブルの系がそれぞれ同じ形状であれば、各系から発生する放射ノイズのピーク周波数が一致し、重畳することで放射ノイズは増加する。
【００２７】
これに対して、図１に示した特性を有するレーザプリント配線板／ケーブルと、図２に示した特性を有するプリント配線板／ケーブルとが、それぞれＤＣコントローラプリント配線板に接続されている場合には、各系から発生する放射ノイズのピークがケーブル長の違いにより重畳しない。このため、重畳する場合に比べ放射ノイズレベルを低減することができる。
【００２８】
以下、添付図面を参照して本発明の実施の形態を詳細に説明する。
【００２９】
（第１の実施の形態）
以下、図３を用いて本発明に係る第１の実施の形態について説明する。
【００３０】
図３は、本第１の実施の形態に係る電子写真装置の一形態としてのカラーデジタル複写機の内部構造の一例を示す。
【００３１】
図３において、複写機筐体１の一側面には、ＤＣコントローラプリント配線板１０が設置される。また、複写機筐体１の上面には、ブラックレーザプリント配線板２・シアンレーザプリント配線板３・マゼンタレーザプリント配線板４・イエローレーザプリント配線板５が設置される。なお、前記ＤＣコントローラプリント配線板１０と前記各色のレーザプリント配線板２・３・４・５の設置位置は、このような構成に限定されることはない。
【００３２】
前記各色のレーザプリント配線板２・３・４・５は、一直線上にそれぞれ等間隔で配置され、かつ、前記ＤＣコントローラプリント配線板が設置されている面と平行になるように設置される。また、前記各色のレーザプリント配線板２・３・４・５はそれぞれ同様の形状である。
【００３３】
前記ＤＣコントローラプリント配線板１０の上側端部には、ケーブル６・７・８・９が接続される接続部１０ＢＫ・１０Ｃ・１０Ｍ・１０Ｙが等間隔に配置される。前記ケーブル６・７・８・９によって、ＤＣコントローラプリント配線板１０と各色のレーザプリント配線板２・３・４・５の間で画像情報等の電気信号が伝送される。
【００３４】
また、前記各色のプリント配線板２・３・４・５の配置間隔と、前記ＤＣコントローラプリント配線板１０上の各接続部１０ＢＫ・１０Ｃ・１０Ｍ・１０Ｙの配置間隔はそれぞれ等しい。
【００３５】
このような構成において、ＤＣコントローラプリント配線板１０の各接続部１０ＢＫ・１０Ｃ・１０Ｍ・１０Ｙから、各色のレーザプリント配線板２・３・４・５へ、それぞれ最短距離でケーブル６・７・８・９を配線する場合、各色のレーザプリント配線板２・３・４・５と各ケーブル６・７・８・９の系の形状がそれぞれ等しくなり、放射ノイズのピークが重畳する可能性が高くなる。
【００３６】
そこで、本第１の実施の形態では、ケーブル７・８・９にそれぞれ長さの異なる余剰部分７ａ・８ａ・９ａを設け、各ケーブル６・７・８・９の長さがそれぞれ異なるようにし、放射ノイズのピークが重畳することを防いでいる。なお、余剰部分を設けるケーブルや、余剰部分の長さ等は、このような構成に限定されることはなく、各ケーブルの長さが異なるものとなればどのような構成でもよい。
【００３７】
このように、本第１の実施の形態によれば、各ケーブル６・７・８・９の形状がそれぞれ異なり、各色のレーザプリント配線板２・３・４・５と各ケーブル６・７・８・９の系からそれぞれ発生する放射ノイズのピークが互いに重畳することを防ぐため、放射ノイズを低減することができる。
【００３８】
なお、ケーブル７・８・９に与えた余剰部分７ａ・８ａ・９ａは、複写機筐体１が導電性である場合、複写機筐体１に密着させる。
【００３９】
（第２の実施の形態）
以下、図４を用いて本発明に係る第２の実施の形態について説明する。
【００４０】
図４は、本第２の実施の形態に係る電子写真装置の一形態としてのカラーデジタル複写機の内部構造の一例を示す。
【００４１】
図４において、複写機筐体１１の一側面には、ＤＣコントローラプリント配線板２０が設置される。また、複写機筐体１の上面には、ブラックレーザプリント配線板１２・シアンレーザプリント配線板１３・マゼンタレーザプリント配線板１４・イエローレーザプリント配線板１５が設置される。なお、前記ＤＣコントローラプリント配線板２０と前記各色のレーザプリント配線板１２・１３・１４・１５の設置位置は、このような構成に限定されることはない。
【００４２】
前記各色のレーザプリント配線板１２・１３・１４・１５は、一直線上にそれぞれ等間隔で配置され、かつ、前記ＤＣコントローラプリント配線板２０が設置されている面と平行になるように設置される。また、前記各色のレーザプリント配線板１２・１３・１４・１５はそれぞれ同様の形状である。
【００４３】
前記ＤＣコントローラプリント配線板２０の上側端部には、ケーブル１６・１７・１８・１９が接続される接続部２０ＢＫ・２０Ｃ・２０Ｍ・２０Ｙが配置される。前記ケーブル１６・１７・１８・１９によって、ＤＣコントローラプリント配線板２０と各色のレーザプリント配線板１２・１３・１４・１５の間で画像情報等の電気信号が伝送される。
【００４４】
また、前記ＤＣコントローラプリント配線板２０上の各接続部２０ＢＫ・２０Ｃ・２０Ｍ・２０Ｙの配置間隔は、前記各色のレーザプリント配線板１２・１３・１４・１５の配置間隔より狭い。
【００４５】
このような構成において、ＤＣコントローラプリント配線板２０上の各接続部２０ＢＫ・２０Ｃ・２０Ｍ・２０Ｙから、各色のレーザプリント配線板１２・１３・１４・１５へ、それぞれ最短距離でケーブル１６・１７・１８・１９を配線する場合、各ケーブル１６・１７・１８・１９の長さはそれぞれ異なる。そのため、各色のレーザプリント配線板１２・１３・１４・１５と各ケーブル１６・１７・１８・１９の系の形状がそれぞれ異なり、放射ノイズのピークが重畳することが防止される。
【００４６】
このように、本第２の実施の形態によれば、各ケーブル１６・１７・１８・１９の形状がそれぞれ異なり、各色のレーザプリント配線板１２・１３・１４・１５と各ケーブル１６・１７・１８・１９の系からそれぞれ発生する放射ノイズのピークが互いに重畳することを防ぐため、放射ノイズを低減することができる。
【００４７】
（第３の実施の形態）
以下、図５を用いて本発明に係る第３の実施の形態について説明する。
【００４８】
図５は、本第３の実施の形態に係る電子写真装置の一形態としてのカラーデジタル複写機の内部構造の一例を示す。
【００４９】
図５において、複写機筐体２１の一側面には、ＤＣコントローラプリント配線板３０が設置される。また、複写機筐体１の上面には、ブラックレーザプリント配線板２２・シアンレーザプリント配線板２３・マゼンタレーザプリント配線板２４・イエローレーザプリント配線板２５が設置される。なお、前記ＤＣコントローラプリント配線板３０と前記各色のレーザプリント配線板２２・２３・２４・２５の設置位置は、このような構成に限定されることはない。
【００５０】
前記各色のレーザプリント配線板２２・２３・２４・２５は、一直線上にそれぞれ等間隔で配置され、かつ、前記ＤＣコントローラプリント配線板３０が設置されている面と垂直になるように設置される。また、前記各色のレーザプリント配線板２２・２３・２４・２５はそれぞれ同様の形状である。
【００５１】
前記ＤＣコントローラプリント配線板３０の上側端部には、ケーブル２６・２７・２８・２９が接続される接続部３０ＢＫ・３０Ｃ・３０Ｍ・３０Ｙが互いに近接して配置される。前記ケーブル２６・２７・２８・２９によって、ＤＣコントローラプリント配線板３０と各色のレーザプリント配線板２２・２３・２４・２５の間で画像情報等の電気信号が伝送される。
【００５２】
このような構成において、ＤＣコントローラプリント配線板３０上の各接続部３０ＢＫ・３０Ｃ・３０Ｍ・３０Ｙから、各色のレーザプリント配線板２２・２３・２４・２５へ、それぞれ最短距離でケーブル２６・２７・２８・２９を配線する場合、各ケーブル２６・２７・２８・２９の長さはそれぞれ異なる。そのため、各色のレーザプリント配線板２２・２３・２４・２５と各ケーブル２６・２７・２８・２９の系の形状がそれぞれ異なり、放射ノイズのピークが重畳することが防止される。
【００５３】
このように、本第３の実施の形態によれば、各ケーブル２６・２７・２８・２９の形状がそれぞれ異なり、各色のレーザプリント配線板２２・２３・２４・２５と各ケーブル２６・２７・２８・２９の系からそれぞれ発生する放射ノイズのピークが互いに重畳することを防ぐため、放射ノイズを低減することができる。
【００５４】
また、このような構成では、ＤＣコントローラプリント配線板３０上の接続部３０ＢＫ・３０Ｃ・３０Ｍ・３０Ｙが互いに近接しているために、複数のケーブルに対して一括で一つのフェライトコアを装着することができる。そのため、仮に規格値を上回る放射ノイズレベルが観測された場合に、後付けでフェライトコアを効果的に作用させることができる。
【００５５】
なお、上記した本実施の形態１、２、３の構成は、上記したカラーデジタル複写機に限られるものではなく、カラーレーザビームプリンタ、モノクロツインビームデジタル複写機、及びモノクロツインビームレーザビームプリンタ等の装置に適用することができる。
【００５６】
【発明の効果】
以上説明したように、本発明によれば、電子写真装置において、第一プリント配線板と複数の第二プリント配線板をそれぞれ接続する各ケーブルをそれぞれ異なる長さにすることにより、各第二プリント配線板とケーブルの系から発生する放射ノイズのピークが重畳することを防止する。すなわち、各ケーブルの長さが等しく放射ノイズのピークが重畳した場合に比べて、放射ノイズのピーク強度を低減することができる。
【００５７】
また、本発明によれば、高価な放射ノイズ対策部品を用いることなく、放射ノイズを規格内に抑えるべく、画像形成ユニットの最適設計を行うことができ、良質な画像を提供することができる。
【図面の簡単な説明】
【図１】本発明の実施の形態を説明するための、ＤＣコントローラプリント配線板と一つのレーザプリント配線板をケーブルで接続した構成において、発生する放射ノイズと、ケーブルとＤＣコントローラプリント配線板の接続点から見込んだケーブル／レーザプリント配線板の入力インピーダンス特性とを表わした図である。
【図２】本発明の実施の形態を説明するための、ＤＣコントローラプリント配線板と一つのレーザプリント配線板をケーブルで接続した構成において、発生する放射ノイズと、ケーブルとＤＣコントローラプリント配線板の接続点から見込んだケーブル／レーザプリント配線板の入力インピーダンス特性とを表わした図である。
【図３】本発明の第１の実施の形態に係る電子写真装置の筐体の側面に配置されたＤＣコントローラプリント配線板と上面に配置されたレーザプリント配線板間をケーブルで信号伝送する構成を示した斜視図である。
【図４】本発明の第２の実施の形態に係る電子写真装置の筐体の側面に配置されたＤＣコントローラプリント配線板と上面に配置されたレーザプリント配線板間をケーブルで信号伝送する構成を示した斜視図である。
【図５】本発明の第３の実施の形態に係る電子写真装置の筐体の側面に配置されたＤＣコントローラプリント配線板と上面に配置されたレーザプリント配線板間をケーブルで信号伝送する構成を示した斜視図である。
【符号の説明】
１　　複写機筐体
２　　ブラックレーザプリント配線板
３　　シアンレーザプリント配線板
４　　マゼンダレーザプリント配線板
５　　イエローレーザプリント配線板
６　　ケーブル（ブラック）
７　　ケーブル（シアン）
７ａ　　余剰部分
８　　ケーブル（マゼンダ）
８ａ　　余剰部分
９　　ケーブル（イエロ）
９ａ　　余剰部分
１０　　ＤＣコントローラプリント配線板
１０ＢＫ・１０Ｃ・１０Ｍ・１０Ｙ　　接続部
１１　　複写機筐体
１２　　ブラックレーザプリント配線板
１３　　シアンレーザプリント配線板
１４　　マゼンダレーザプリント配線板
１５　　イエローレーザプリント配線板
１６　　ケーブル（ブラック）
１７　　ケーブル（シアン）
１８　　ケーブル（マゼンダ）
１９　　ケーブル（イエロ）
２０　　ＤＣコントローラプリント配線板
２０ＢＫ・２０Ｃ・２０Ｍ・２０Ｙ　　接続部
２１　　複写機筐体
２２　　ブラックレーザプリント配線板
２３　　シアンレーザプリント配線板
２４　　マゼンダレーザプリント配線板
２５　　イエローレーザプリント配線板
２６　　ケーブル（ブラック）
２７　　ケーブル（シアン）
２８　　ケーブル（マゼンダ）
２９　　ケーブル（イエロ）
３０　　ＤＣコントローラプリント配線板
３０ＢＫ・３０Ｃ・３０Ｍ・３０Ｙ　　接続部
【図１】
2004029301.tif 000003
【図２】
2004029301.tif 000004
【図３】
2004029301.tif 000005
【図４】
2004029301.tif 000006
【図５】
2004029301.tif 000007